(57)【要約】  この発明は、固定部と、固定部に多軸関節接続部により接続されるヒンジ部とを備える家具用ヒンジに関し、ヒンジ部が固定部に対して、ヒンジ部の調整経路の少なくとも一部領域において直接的または間接的にバネにより付勢され、バネは、２つのバネ受間で張力付与状態で装着され、または装着可能である。このような家具用ヒンジにおいて、動作制御を改良し、ヒンジ開閉に要する手の力を均一にするため、本発明によれば、ヒンジ部（２０）を開位置から閉位置に調整する際、および／または、閉位置から開位置に調整する際に、２つのバネ受（７４、８４．４）領域でバネ（７６）を調整する。【選択図】図１
2017532469.tif 000002
【特許請求の範囲】
【請求項１】
固定部（３０）と、前記固定部に多軸関節接続部により接続されるヒンジ部（２０）とを備え、
前記ヒンジ部（２０）が前記固定部（３０）に対して、前記ヒンジ部（２０）の調整経路の少なくとも一部領域において間接的または直接的にバネ（７６）により付勢され、
前記バネ（７６）が２つのバネ受（７４、８４．４）間で張力付与される、または張力付与可能である家具用ヒンジであって、
前記ヒンジ部（２０）を開位置から閉位置に調整する際、および／または、閉位置から開位置に調整する際に、前記バネの２つの前記バネ受（７４、８４．４）領域で前記バネ（７６）が調整されることを特徴とする、家具用ヒンジ。
【請求項２】
前記バネ受（７４、８４．４）のうち少なくとも１つが、直線ガイド（３４）により直線的に調整可能、または、軸回りを枢動可能、または、ガイドにより円弧状経路上を調整可能であることを特徴とする、請求項１に記載の家具用ヒンジ。
【請求項３】
前記バネ（７６）が、前記２つのバネ受（７４、８４．４）により、互いに枢動可能なレバー（接続レバー（７２）およびスプリングテンショナ（８０））にそれぞれ結合されていることを特徴とする、請求項１または２に記載の家具用ヒンジ。
【請求項４】
前記２つのレバーが、関節を介して連結され、共通の関節軸（７１）を形成することを特徴とする、請求項３に記載の家具用ヒンジ。
【請求項５】
関節接続部（４０）が位置決め部（可動レバー（６１））により前記バネ受（７４、８４．４）の双方に間接的または直接的に結合され、
前記バネ受（７４、８４．４）が前記位置決め部により調整されることを特徴とする、請求項１〜４のいずれか一項に記載の家具用ヒンジ。
【請求項６】
前記位置決め部が、前記バネ受（７４、８４．４）が結合された前記２つのレバーの接続領域に働くことを特徴とする、請求項４または５に記載の家具用ヒンジ。
【請求項７】
前記位置決め部が、第１回転軸（４４）を形成する関節により間接的または直接的に前記関節接続部（４０）に結合される可動レバー（６１）として構成されることを特徴とする、請求項６に記載の家具用ヒンジ。
【請求項８】
１つのバネ受（８４．４）がスプリングテンショナ（８０）に接続され、それにより前記バネ受（７４、８４．４）間の間隔が調節可能であり、および／または、前記バネ（７６）により前記関節接続部（４０）に導入されるトルクが可変であることを特徴とする、請求項１〜７のいずれか一項に記載の家具用ヒンジ。
【請求項９】
前記ヒンジ部（２０）の開動作および／または前記ヒンジ部（２０）の閉動作が、減衰要素（６０）により少なくともある領域で減衰可能であることを特徴とする、請求項１〜８のいずれか一項に記載の家具用ヒンジ。
【請求項１０】
前記減衰要素（６０）が、線形ダンパ、好ましくは線形流体ダンパとして構成されることを特徴とする、請求項９に記載の家具用ヒンジ。
【請求項１１】
前記減衰要素（６０）が、前記関節接続部（４０）と前記バネ（７６）間の機能領域において効力を発することを特徴とする、請求項９または１０に記載の家具用ヒンジ。
【請求項１２】
家具ベースユニットと、請求項１〜１１のいずれか一項に記載の家具用ヒンジ（１０）を介してベースユニット上に関節接続される枢支板または扉とを備え、
開動作および／または閉動作の際に要する手の力がほぼ一定であり、好ましくは±３０％の偏差で一定に保たれる家具。
【発明の詳細な説明】
【技術分野】
【０００１】
この発明は、固定部と、固定部に多軸関節接続部により接続されたヒンジ部とを備える家具用ヒンジであって、ヒンジ部が固定部に対して、ヒンジ部の調整経路の少なくとも一部領域において間接的または直接的にバネにより付勢され、該バネが２つのバネ受間で張力付与され、または張力付与可能である、家具用ヒンジに関する。
【０００２】
この種の家具用ヒンジは、たとえば、枢動可能な枢支板を開位置と閉位置間で移動させるのに用いられる。この種のいわゆる枢支板取付具は、通常、家具構造に用いられ、壁ユニット領域で使用される。ここで、枢支板は水平軸回りに枢動可能である。このような枢支板取付具は、開動作と閉動作間の途中の移動経路における中間位置で、枢支板が自動で動くように保持するのが理想的である。開ストローク範囲では、枢支板が独りでに閉位置に戻らないように、信頼性高く安定して保持されなければならない。閉ストローク範囲では、枢支板が確実に閉位置まで引き寄せられなければならない。このように調整された移動経路を得るために、通常、複雑な制御形状を有するバネ付勢された制御円弧部を利用した家具用ヒンジが用いられる。これら家具用取付具の場合、バネによる付勢力が閉位置で非常に高く、これに比べて開位置では低いという不都合がある。このために動作シーケンスが不自然となり、ユーザがスムーズと感じない場合がある。この問題は、重さの異なる枢支板が家具用ヒンジに用いられるとさらに悪化する。たとえば欧州特許第１７１３９９６Ｂ１号明細書によりこのような家具用ヒンジが知られている。
【先行技術文献】
【特許文献】
【０００３】
【特許文献１】欧州特許第１７１３９９６Ｂ１号明細書
【発明の概要】
【発明が解決しようとする課題】
【０００４】
したがって、本発明は、最適な閉動作を可能とする、冒頭で述べた種類の家具用ヒンジを提供することを課題とする。
【課題を解決するための手段】
【０００５】
本発明によれば、ヒンジ部を開位置から閉位置に調整する際、および／または、閉位置から開位置に調整する際に、バネの２つのバネ受領域でバネを調整することにより、上記課題を解決する。
【０００６】
常に１つのバネ受は固定され、このバネ受けに対して第２バネ受が調整可能であり、バネを緊張または弛緩させる従来技術に対して、本発明は別の道を採る。本発明の家具用ヒンジの場合、開動作および／または閉動作の際に、双方のバネ受が調整される。第２バネ受はしたがって、動作シーケンス中にバネのバネ力を調整することができるように、動作シーケンス中に共に案内される。これにより、特に、それぞれの適用例に合わせた均一化または適応化を的確に行うことができる。特に、本システムの各構成によれば、第２バネ受が閉ストローク範囲で閉ストローク方向に調整されることでバネ張力を低減させるヒンジ変形例を実施することもできる。これに応じ、さらに、開ストローク範囲で２つのバネ受が反対方向に調整されて、バネに追加の張力を付与するように、家具ヒンジを設計することも可能である。本発明に係る家具ヒンジは、２つのバネ受の調整によって実施されるもので、特に、制御円弧部などの複雑な制御機構が不要であるため設置スペースも小さくて済む。
【０００７】
本発明の好ましい変形例によれば、バネ受のうち少なくとも１つが、直線ガイドにより直線的に調整可能、または、軸回りに枢動可能である。調整された動作シーケンスを直線ガイドによって、実施することができる。さらに、直線ガイドの場合は、小さな設置スペース内に比較的大きな調整ストロークを得ることができる。または、２つ目のバネ領域で調整ストロークを実現するために、第２バネ受を軸回りに枢動可能としてもよい。最後に、第２バネ受がガイドによって円弧状経路上を調整可能であることも想定内である。特に、この円弧状経路は、バネ受が、直線運動と枢動を組み合わせて行うように実施することができる。さらに、バネ受領域に付加されるトルクが、円弧状または枢動可能なバネ受により可変であってもよい。
【０００８】
本発明の特に好ましい変形例は、バネが、２つのバネ受によって、互いに枢動可能なレバーの一つずつにそれぞれ結合される設計である。このようにして、バネに張力を付与するよう働く簡単な運動学が達成される。本発明の範囲において、これら２つのレバーは、たとえば、共にオフセットすることができる。オフセットにより、双方のバネ受を調整することができる。さらに、バネ受は、レバーを枢動させる結果、互いに調整することができる。
【０００９】
特に、関節接続部が、両バネ受に位置決め部により間接的または直接的に結合され、バネ受が該位置決め部により調整されるようにすることができる。２つのレバーを用いる上述の構成では、バネ受が結合された２つのレバーの接続領域に位置決め部が働く、簡単なヒンジ構成を実現することができる。たとえば、位置決め部を、２つのレバー間の関節点に直接働かせてもよいし、または、この関節に結合させてもよい。
【００１０】
位置決め部が、第１回転軸を形成する関節により間接的または直接的に関節接続部に結合される可動レバーとして構成されると特に好適である。このような家具用ヒンジにより、部品および組立コストを低減することができる。
【００１１】
本発明の変形例として、１つのバネ受をスプリングテンショナに接続し、これによりバネ受間の間隔を調節可能とするように設計することができる。スプリングテンショナにより、たとえば重さの異なる枢支板に合わせてバネ力を調節することができる。本発明のさらに好ましい変形例は、ヒンジ部の開動作および／またはヒンジ部の閉動作が、減衰要素により少なくとも部分的に減衰可能であるよう設計される。家具ヒンジに関節接続される枢支板または扉は、減衰要素により、減衰力がバネの張力に反して働き、開位置または閉位置に向けそっと引っ張られる。減衰要素により開動作と閉動作の双方で減衰するようにすれば、家具用ヒンジの部品数を最小限にすることができる。
【００１２】
減衰要素は、回転式ダンパとして、または、好ましくは線形ダンパ、特に流体ダンパとして構成することができる。回転式ダンパに比して、線形ダンパは構成が簡単であるため、量産品として製作される家具用ヒンジにとって有利である。
【００１３】
減衰要素が、関節接続部とバネ間の機能領域において効力を発するようにすれば、家具用ヒンジに減衰機構を簡単に組み込むことができる。
【００１４】
本発明はまた、特に、家具ベースユニットと、家具用ヒンジを介してベースユニット上に関節接続される枢支板または扉とを備え、開動作および／または閉動作の際に要する手の力がほぼ一定である家具に関する。必要とされる手の力が、±３０％の偏差で一定に保たれ、動作シーケンスが、調和のとれたものであるという印象をなるべくユーザに与えることが好ましい。手の力とは、枢支板または扉を開位置および／または閉位置に移動するために枢支板または扉の作動部に付加される力である。
【００１５】
以下、図面に示す例示の実施形態により本発明をさらに詳しく説明する。
【図面の簡単な説明】
【００１６】
【図１】ヒンジハウジングを閉じた場合の、ヒンジ部が内折りされた第１終端位置にある家具用ヒンジを側面図で示す。
【図２】ヒンジハウジングを開いた場合の、図１の家具用ヒンジを示す。
【図３】関節要素領域における図２の家具用ヒンジの一部を示す。
【図４】ヒンジ部が部分的に外折りされた場合の、図３の家具用ヒンジの一部を斜視図で示す。
【図５】図４の家具用ヒンジの一部を側面図で示す。
【図６】ヒンジ部が外折りされた場合の、第２終端位置にある図２の家具用ヒンジを示す。
【図７】関節要素領域における図６の家具用ヒンジの一部を示す。
【発明を実施するための形態】
【００１７】
図１は、ヒンジハウジング３１を閉じた場合の、内折りされたヒンジ部２０が第１終端位置にある家具用ヒンジ１０を側面図で示す。ヒンジ部２０は扉または枢支板との結合に供され、現状で行われているようにヒンジアームとして構成することができる。
【００１８】
ヒンジハウジング３１は３つの固定具収容部３２．１、３２．２、３２．３を有する、家具用ヒンジ１０の固定部３０を形成する。図示のヒンジハウジング３１は、ハウジング蓋３３により閉鎖されている。ハウジング蓋３３には、直線ガイド３４と調節穴３５が、貫通孔として設けられている。第１関節４１．１、第２関節４１．２、および回動ジョイント８１の固定点は、ハウジング蓋３３内部にある。
【００１９】
ヒンジアーム２０は、多軸関節接続部４０によって枢動可能に固定部３０に接続されている。第１および第２位置決めネジ２２．１、２２．２が、ヒンジ部２０の後面板２４に沿って設けられている。側方脚部２３が後面板２４の両側に接合している。ヒンジ部２０は、接続フック２１．１、２１．２を有する接続要素２１を有する。側方脚部２３は関節部に向けて、エンボス加工部２５．１により補強された拡張領域２５を経て関節ガイド２６に移行する。関節ガイド２６上には、多軸関節接続部４０（現状では７関節チェーン）の第６関節４１．６および第７関節４１．７が配置されている。
【００２０】
多軸関節接続部４０は、第１および第２関節４１．１、４１．２により固定部３０に接続され、第６および第７関節４１．６、４１．７によりヒンジ部２０に接続されている。
【００２１】
固定部３０には、回動ジョイント８１を介して、現状ではスプリングテンショナ８０として構成されるレバーが関節接続部４０に対向するように取り付けられている。スプリングテンショナ８０には、刻み付きヘッド８４．２を有する刻み付きネジ８４．１と、バネ受８４．４が取り付けられた摺動部８４．３とからなる張力要素８４が設けられている。摺動部８４．３は、スライダバー８３上を移動可能に装着されている。スライダバー８３および刻み付きネジ８４．１は端部で共通のベース８２に固定され、これにより家具用ヒンジ１０の固定部３０に接続されている。
【００２２】
バネ７６はバネ受８４．４に引っ掛けられ、該バネはその他端でバネ受７４に固定されている。バネ受７４はピン７４により端部で、現状では接続レバー７２として構成される第１レバーに接続されている。接続レバー７２はガイドピン７３により、ハウジング３３に取り付けられた直線ガイド３４内で案内される。
【００２３】
取り付け状態では、ヒンジ部２０は戸棚扉または枢支板に設けられ、固定部３０は家具（図示せず）のベースユニットに設けられる。ここで、接続要素２１が、接続フック２１．１、２１．２によって、戸棚扉または枢支板に固定される不図示の接続部に係合する。戸棚扉または枢支板は、位置決めネジ２２．１、２２．２により、ベースユニットに対して位置合わせすることができる。固定部３０は、固定具収容部３２．１、３２．２、３２．３を貫通する不図示の固定手段によりベースユニットに固定される。
【００２４】
ヒンジ部２０は、戸棚扉または枢支板を開く際、図示の閉じた第１終端位置から図６に示す開いた第２終端位置まで枢動する。ここでバネ７６は、ヒンジ部２０の特定位置から、戸棚扉または枢支板を自動で開かせる。これに応じ、バネ７６は、戸棚扉または枢支板を閉じる際、ヒンジ部２０の動作の最後の部分でヒンジ部をその第１終端位置に向けて引っ張る。上述のように、重さや寸法が様々な戸棚扉または枢支板を開閉可能とするように、バネ７６の付勢力、および、回動ジョイント８１とバネ受８４．４との間隔の変化から生じる回動ジョイント８１回りに加わるトルクを、スプリングテンショナ８０によって、取り付けられたそれぞれの戸棚扉または枢支板に適合させることができる。これは、摺動部に接続されたバネ７６の所望の付勢力が得られるか、および／または、所望のトルクが設定されるまで、刻み付きネジ８４．１の刻み付きヘッド８４．２を回すことにより張力要素８４の摺動部８４．３をスライダバー８３に沿って調整することで行うことができる。
【００２５】
図２は、ヒンジハウジング３１を開いた場合の、図１の家具用ヒンジ１０を示す。ここで、図１で紹介したものと同一の部品には同一の参照番号を付している。
【００２６】
ヒンジハウジング３１の後側は、図１に示したハウジング蓋３３と同一の貫通孔、関節収容部、固定具収容部３２．１、３２．２、３２．３を有する後側ハウジング壁３６により閉鎖されている。家具用ヒンジ１０の部品はこのように、ハウジング蓋３３および後側ハウジング壁３６との間で保持または挿通することができる。家具用ヒンジ１０は、戸棚のベースユニットの右側および左側のいずれにでも取り付けることができ、後側ハウジング壁３６またはハウジング蓋３３のいずれかが戸棚壁に当接する。
【００２７】
多軸関節接続部４０の第１関節レバー４２．１が、ヒンジ部２０の関節ガイド２６上の第７関節４１．７と、自身の位置で変位可能な第５関節４１．５との間に配置されている。これに応じて、図３、４、および６に示す第２関節レバー４２．２が、ヒンジ部２０の関節ガイド２６上の第６関節４１．６と、同様に自身の位置で変位可能な第３関節４１．３との間に配置されている。第３関節レバー４２．３は、第２関節４１．２によりヒンジハウジング３１に回転可能に固定されている。第３関節レバー４２．３はその中央領域で第４関節４１．４により、同様に回転可能に第２関節レバー４２．２の概ね中心に接続されている。
【００２８】
概ね三角形の関節要素４３が、１つの角部で、第１関節４１．１によりヒンジハウジング３１に回転可能に接続されている。関節要素４３は、反対側の角部で、第３関節４１．３により第２関節レバー４２．２に回転可能に接続されている。関節要素４３の、多軸関節接続部４０から離れる側の第３の角部に、さらなる関節軸の形で第１回転軸４４が配置されている。関節要素４３はここでは、円弧状可動レバー７０の一端に回転可能に接続されている。
【００２９】
関節要素４３は、間隔を空けて配置された互いに対向する２つの関節プレート４３．１、４３．２を有し、図２で選択された図中に、前方の第１関節プレート４３．１が示されている。図４、５、および６に示す後方の第２関節プレート４３．２は、第１関節プレート４３．１に隠れている。関節プレート４３．１の中央領域には、それぞれ第１関節４１．１方向に向くよう配される長穴の形でガイド４６が設けられている。ガイド４６と第１関節４１．１の間には調節要素５０が配置されている。
【００３０】
直線的に減衰動作を行う減衰要素６０が、ガイド要素４５によってガイド４６の長穴内で回転可能および変位可能に装着されている。減衰要素６０はその反対側の端で、対向支承部６１により可動レバー７０に回転可能に固定されている。
【００３１】
可動レバー７０、スプリングテンショナ８０のベース８２、および接続レバー７２はそれぞれ端部で、関節軸７１により互いに連結されている。
【００３２】
多軸関節接続部４０は、その７つの関節４１．１、４１．２、４１．３、４１．４、４１．５、４１．６、４１．７により、ヒンジ部４０と固定部３０との間で既知の７つの関節接続部を構成する。ヒンジ部２０を図６に示す開いた第２終端位置に向け外折りする際は、第３関節レバー４２．３が第２関節４１．２回りを回転し、関節要素４３は、第１および第２関節プレート４３．１、４３．２により、第１関節４１．１回りを回転する。これにより、選択された図中の第１回転軸４４は第１関節４１．１回りを時計方向に枢動する。第１回転軸４４はここで、ガイド要素４５と対向支承部６１、すなわち、減衰要素６０の支承部材同士を接続する線を横断する。ここで、図示する第１終端位置から進むにつれて、ガイド要素４５と対向支承部６１間の間隔は、ガイド要素４５、第１回転軸４４、対向支承部６１が一直線になるまで拡大する。関節要素４３が第１関節４１．１回りをこの点よりさらに回転されると、ガイド要素４５と対向支承部６１間の間隔は再び縮小する。ヒンジ部２０を折り戻す際は、この動作シーケンスが逆向きに行われる。減衰要素６０はこのように、ヒンジ部２０の２つの終端位置間の折り動作の間で、減衰要素６０の支承部材間の接続線と第１回転軸４４とが交差する際に、調整動作内で最大に偏位する。回転動作を続けると、減衰要素６０の偏位は再び減少する。
【００３３】
使用されている減衰要素６０の減衰作用は、減衰要素６０が収縮する際の１つの調整方向にのみ働く。したがって上述した動作シーケンスでは、減衰要素６０が最大偏位するまで、関節要素４３およびヒンジ部２０の動きは減衰されない。これに対し、最大偏位後は、減衰要素６０が関節要素４３の動きを減衰するよう働き、これが、多軸関節接続部４０により伝達されて、ヒンジ部２０の動きを減衰するよう働く。減衰要素６０の調整方向は、ヒンジ部２０の内折りと外折りのいずれの際にも反転されるため、いずれの場合もヒンジ部２０がどちらかの終端位置に到達する前に、ヒンジ部が減衰される。これにより、一方向に直線的に減衰させる１つの減衰要素のみにより、ヒンジ部２０に固定された戸棚扉または枢支板の開く動作および閉じる動作のいずれの減衰も行うことができる。
【００３４】
スプリングテンショナ８０と接続レバー７２間で張力付与されているバネ７６により、スプリングテンショナ８０は回動ジョイント８１回りを回転し、接続レバー７２はガイドピン７３回りをこれとは反対に回転する。これにより、圧縮力が共通の関節軸７１を介して可動レバー７０に伝達され、そこから第１回転軸４４を介して関節要素４３に伝達される。このようにしてトルクが関節要素４３に伝達され、このトルクは、ヒンジ部２０が内折りされた終端位置にある図２に示す関節要素４３の配置では、反時計回りに働く。したがってこのトルクは、ヒンジ部２０を外折りする際に関節要素４３の回転運動に反するように働く。ヒンジ部２０が、バネ７６の動作に反して外方に折られ、第１回転軸４４が第１関節４１．１と関節軸７１との接続線を横断すると、可動レバー７０により伝達される圧縮力が、時計回り、すなわち、ヒンジ部２０を外折りすることによる関節要素４３の回転運動の方向に、トルクを生じさせる。この時点以降、伝達されるバネ力はヒンジ部２０の動きを支持する。バネ７６のしかるべき構成によって、ヒンジ部２０は、いったん部分的に開くと、自動的に外方に折れて開いた終端位置に向かう。この動きは、開いた終端位置に到達する前に、減衰要素６０により減衰される。これに応じ、ヒンジ部を内折りする際は、この動作シーケンスが逆向きに行われる。ここでも、バネ力は最初、内方に折れるヒンジ部２０に反するよう働き、第１回転軸４４が第１関節４１．１と関節軸７１との接続線を横断した後、前記バネ力はヒンジ部２０の動作方向に働く。これにより、ヒンジ部２０が内方に折れる際の動作の最後の部分は自動で行われる。
【００３５】
バネ７６の付勢力、および、バネ７６により生じるトルクは、ヒンジ部２０により案内される戸棚扉または開閉扉の重さが異なる場合でもヒンジ部の自動の動きが可能となるよう、スプリングテンショナ８０の張力要素８４により適合させることができる。この目的のため、摺動部８４．３の位置を、刻み付きネジ８４．１を用いてスライダバー８３沿いに移動させる。
【００３６】
減衰要素６０を、対向支承部６１により可動レバー７０上に装着することで、関節要素４３および可動レバー７０の位置に関わらず、対向支承部６１と第１回転軸４４との間隔を同一に保つことができる。減衰要素６０の調整量、すなわちその減衰ストロークはこのように、ガイド要素４５が関節要素４３上に保持されて第１回転軸４４回りを回転する位置と、関節要素４３と可動レバー７０間の回転角度とにより規定される。
【００３７】
ヒンジ部２０を外折りおよび内折りする際の減衰要素６０の減衰ストロークは、関節要素４３上のガイド要素４５の位置、および、ガイド要素４５の第１回転軸４４回りの枢動範囲によって、様々に実施することができる。こうして、図示した実施では、図２に示す第１終端位置から図６に示す第２終端位置までヒンジ部２０を外折りする際、減衰要素６０のしかるべき大きな調整量により、減衰要素６０が最大偏位するまでの初期段階では、ガイド要素４５が比較的大きな角度範囲を通過する。最大偏位後は、減衰要素６０のしかるべき小さな調整量により、比較的小さな角度範囲を通過する。ヒンジ部２０を内折りする際は、この動作シーケンスが逆向きに行われる。ヒンジ部２０を外折りする際の減衰ストロークはこのように、ヒンジ部２０を内折りする際の減衰ストロークより小さくなるよう選択される。
【００３８】
これに対して、バネ力が導入される時は、ヒンジ部２０を外折りする際のバネ力の関節要素４３への結合点としての第１回転軸４４が、第１関節４１．１回りを少し回転した後に、第１関節４１．１と関節軸７１との接続線を横断する。バネ力が、関節要素４３の、すなわちヒンジ部２０の動きに反して働くのは、小さな第１移動範囲内のみであり、次いで、関節要素４３の、すなわちヒンジ部２０の移動方向に、大きな移動範囲で働く。ここでもまた、ヒンジ部２０を内折りする際は、この動作シーケンスが逆向きに行われる。このように、バネ７６は、ヒンジ部２０に固定された戸棚扉または枢支板の開位置の方向に、ヒンジ部２０の大きな移動範囲に渡って働き、閉位置の直近でのみ、戸棚扉または枢支板を閉じる方向に働く。
【００３９】
ヒンジ部２０を外折りおよび内折りする際のこの減衰要素６０およびバネ７６双方の非対称の作用により、重力に反して戸棚扉または枢支板を開くのは、バネ７６に支えられてスムーズに、または動作の最後の部分では自動で、行われる。ここでの動作は、開く過程の終端直前で減衰される。これに対して、戸棚扉または枢支板を閉じる際は減衰ストロークが大幅に長くなり、戸棚扉または枢支板が戸棚のベースユニットに衝突することが防がれる。ここで、戸棚扉または枢支板はそれぞれの動作の最後の部分で、閉位置に向けて自動で引き寄せられる。
【００４０】
家具用ヒンジ１０は、バネ付勢力を調節することにより、重さが異なる戸棚扉または枢支板に適用することができる。
【００４１】
図３は、ヒンジ部２０を内折りした場合の、関節要素４３領域における図２の家具用ヒンジの一部を示す。ここで、ハウジング蓋３３、および関節要素４３の第１関節プレート４３．１は、その後ろにある部品が見えるように、半透明で示している。
【００４２】
減衰要素６０の支承部材としてのガイド要素４５は、関節要素４３のガイド４６内に装着されている。ガイド４６はここでは長穴として実施され、第１関節プレート４３．１、および、見えない位置にある第２関節プレート４３．２の双方に、互いに合致するように設けられている。このようにガイド４６により、ガイド４６に装着されたガイド要素４５は回転運動および直線的調整のいずれも可能になる。長穴は、第１回転軸４４から間隔をあけるため、第１関節４１．１に向くよう配されている。調節要素５０がガイド４６と第１関節４１．１間に配置されている。図４でも示すように、調節要素５０は、関節要素４３の第１および第２関節プレート４３．１、４３．２の間に回転可能に装着されている。この目的のために、第１関節プレート４３．１の対応する貫通孔内に、ツール係合機構５１が挿通されている。図４でも示すように、調節要素５０は、第１および第２偏心円板５２．１、５２．２を有する偏心部材５２により形成される。各偏心円板５２．１、５２．２は、その外周に１つずつ係止円弧部５２．３、５２．４が設けられている。偏心円板５２．１、５２．２は軸５３により離間している。
【００４３】
図３から分かるように、偏心部材５２は、自身の外周と係止円弧部５２．３、５２．４により、ガイド４６の長穴の一部を覆うように回転することができる。これにより、ガイド４６が第１関節４１．１に対向する領域で、偏心部材５２をガイド要素４５の戻り止めとする、調節可能な可変端部４６．１が形成される。ガイド４６はこの反対側では固定端部４６．２によって規定される。
【００４４】
ヒンジ部２０を図示する閉位置に向け内折りする際、ガイド要素４５は、その動きと反対に働く減衰要素６０によって、ガイドの可変端部４６．１に対して押しつけられている。ガイド要素４５の戻り止めは、調節要素５０が回転することにより、係止円弧部５２．３、５２．４に応じて変位させることができる。このように、ヒンジ部２０を内折りした図示位置での、減衰要素６０が働く方向のガイド要素４５の位置は、調節要素５０によって規定される。ヒンジ部２０を内折りする際の減衰要素６０の調整経路、すなわち減衰ストロークは、このように調節要素５０により調節可能である。ここで、ガイド４６内でガイド要素４５が最大限に直線運動することができる図３に示す調節要素５０の調節位置では、減衰ストロークを最小に調節することができる。ガイド４６の長穴内に係止円弧部５２．３、５２．４が最大限突出し、ガイド要素４５がガイド４６の固定端部４６．２の方向に変位するように、調節要素５０を回転させると、ヒンジ部２０を内折りする際の減衰要素の減衰ストロークを最大とすることができる。減衰ストロークは、調節要素５０のそれぞれの中間位置によって、２つの極端な位置間で調節することができる。係止円弧部５２．３、５２．４とガイド要素４５との協働により、調節要素５０を所定の係止位置にのみ調節されるようにすることができる。これにより、減衰ストロークを再現可能に調節することができ、また、選択された調節位置での係止が可能となる。
【００４５】
図３に示すヒンジ部２０の内折りした終端位置では、調節要素５０のツール係合機構５１はハウジング蓋３３で覆われている。ヒンジ部２０を外折りする際は、ツール係合機構５１はハウジング蓋３３の調節穴３５の領域内に枢動する。次いで、戸棚扉または枢支板を開いた状態で、減衰ストロークの調節を行うことができる。
【００４６】
図４に示すピストンロッド６３はカバー６２に挿通されカバーにより保護されている。
【００４７】
図４は、ヒンジ部２０が部分的に開いた位置にある場合の、図３の家具用ヒンジ１０の一部を斜視図で示す。ここで、関節要素４３の第１関節プレート４３．１は透明で示している。
【００４８】
減衰要素６０のピストンロッド６３は部分的にカバー６２に囲まれ、その端部にガイド要素収容部６４を有し、この中に、横向きのピンとして実施されているガイド要素４５が保持される。ガイド要素収容部６４に、付属部分として、位置決め要素６５が構成されている。位置決め要素６５は、図示するヒンジ部位置では、調節要素５０の軸５３に向くよう配され、これに当接している。
【００４９】
位置決め要素６５によって、調節要素５０の調節位置に関わらず、ガイド要素４５をガイド４６の固定端部４６．２に対して変位させることができる。したがって、ヒンジ部２０を閉じた終端位置から開いた終端位置まで外折りする際は、ガイド要素４５は強制的にガイド４６の可変端部４６．１から固定端部４６．２に移動され、固定端部に保持される。これにより、ヒンジ部２０が開く間のガイド要素４５の位置が一定に規定される。ヒンジ部２０を外折りする際の減衰要素６０の減衰ストロークもまたこのように一定に規定され、一方、ヒンジ部２０を内折りする際の減衰ストロークは、調節要素５０によって調節することができる。
【００５０】
調節要素５０の図示する最大調節位置では、ガイド要素４５も、偏心部材５２により、ガイド４６の固定端部４６．２側面に保持されている。このため、ヒンジ部２０を内折りする際、すなわち、ヒンジ部２０に固定された戸棚扉または枢支板を閉じる時は、減衰ストロークが最大となるよう調節される。
【００５１】
図５は、ヒンジ部２０が部分的に外方に折られた場合の、図４の家具用ヒンジ１０の一部を側面図で示す。第１関節プレート４３．１は一部透明で示している。
【００５２】
ガイド４６は、図示する中間位置となるために、図３に示す閉位置から始まるヒンジ部２０の外折り時に、ガイド要素４５により第１関節４１．１回りを時計回りに枢動してきている。これにより、位置決め要素６５は調節要素５０の軸５３に向くよう合わされ、ガイド要素４５はガイド４６の固定端部４６．２に押しつけられている。ガイド要素４５が第１回転軸４４回りをさらに続けて時計回りに枢動すると、減衰要素６０のピストンロッド６３はガイド要素４５により減衰要素内に押し込まれ、これにより減衰効果が生じる。ここでの減衰ストロークは、ガイド４６の固定端部４６．２にガイド要素４５が固定的に位置決めされることで、一定に規定される。
【００５３】
図６は、ヒンジ部２０が外方に折られた場合の、第２終端位置にある図２の家具用ヒンジ１０を示す。第１関節プレート４３．１は図示省略している。
【００５４】
ヒンジ部２０を外方に折ることで、関節要素４３の第２関節プレート４３．２は第１関節４１．１回りを枢動する。関節要素４３の動きにより、第１回転軸４４は、図２に示す位置から、減衰要素６０の反対側まで反転し、これにより、ガイド要素４５と対向支承部６１との接続線を横断してきている。このため、図２について説明したように、減衰要素６０の調節動作の反転が起こる。
【００５５】
位置決め要素６５は調節要素５０の軸５３を通過するが、ガイド要素４５がガイド４５の固定端部４６．２に保持されるように、軸に当接したままである。
【００５６】
ヒンジ部２０を外折りする際、可動レバー７０、接続レバー７２、およびスプリングテンショナ８０のベース８２の接続点としての関節軸７１は、図２に示す回動ジョイント８１回りを枢動する。図示例において、この回転は時計方向である。ベース８２と接続レバー７２間でこのように行われる折り動作時に、バネ７６は弛緩し、解放されたエネルギーは、可動レバー７０を介して多軸関節接続部４０に、すなわちピボットアーム２０に伝達される。
【００５７】
可動レバー７０および接続レバー７２は、２つの終端位置間を移動する際に、スプリングテンショナ８０または調節要素５０の調節位置に関わらず、固定具収容部５２．１、５２．２、５２．３の位置を横断しないよう配置および形成されている。したがって、固定要素を、ヒンジ部２０の動きを妨げることなく固定具収容部５２．１、５２．２、５２．３に貫通させることができる。
【００５８】
図７は、関節要素６３領域における図６の家具用ヒンジ１０の一部を示す。関節要素６３の第１関節プレート６３．１およびハウジング蓋３３は半透明で示している。
【００５９】
ヒンジ部２０を第２終端位置まで外方に枢動させた場合の関節要素６３の位置を示している。この位置では、調節要素５０のツール係合機構５１がハウジング蓋３３の調節穴３５に対向して位置しているため、外からアクセス可能である。
【００６０】
ガイド要素４５はガイド４６の固定端部４６．２に保持されているため、減衰要素６０の偏位は、関節要素６３、すなわちヒンジ部２０のこの位置に規定される。
【００６１】
上で述べたように、バネ７６は、開く過程または閉じる過程それぞれで、さらに伸展または弛緩される。これは、２つのレバー（スプリングテンショナ８０および接続レバー７２）を互いに枢動させることで行われる。２つのバネ受８４．４、７５は、同時にそれぞれの位置をとる。バネ受８４．４は回動ジョイント８１回りを枢動し、バネ受７４は直線ガイド３４により直線的にオフセットする。ここでのオフセットは、家具用ヒンジ１０の奥行き方向に行われる。ここで、バネ受７４の位置決め動作は、図２の閉位置においてバネ受７４がバネ受８４．４に向かう方向に移動するように制御される。したがって、この移動によってバネ張力が減少する。これに対し、図６に示す開位置ではバネ受７４、８４．４は反対方向に変位される。これにより、バネ受７４を直線ガイド３４内で反対方向に移動させることで得られるバネ７６の張力に、さらなるバネ張力が付加される。２つのバネ受８４．４、７４を、枢支板を閉位置から開位置へ、またその逆へ移動させるのにそれぞれ必要な手の力が可能な限り均一となるように制御することにより、バネ力を均一化することができる。バネ受７４の移動は、可動レバー７０により行われる。したがって可動レバーは作動部の機能を果たす。 
【図１】
2017532469.tif 000003
【図２】
2017532469.tif 000004
【図３】
2017532469.tif 000005
【図４】
2017532469.tif 000006
【図５】
2017532469.tif 000007
【図６】
2017532469.tif 000008
【図７】
2017532469.tif 000009
【国際調査報告】
2017532469.tif 000010
2017532469.tif 000011
2017532469.tif 000012
2017532469.tif 000013